(57)【要約】【課題】乾燥工程時の循環空気がシャワー給水経路から注水蓋体に逆流するのを防いで洗剤収容容器を結露させることを防止したドラム式洗濯乾燥機を実現する。【解決手段】洗剤を収容する洗剤収容容器２１と、洗剤収容容器２１に注水を行う注水蓋体３０と、第１のシャワー用ホース２７、所定量の水を保持するタンク５０、第２のシャワー用ホース２８を介して、注水蓋体３０から水槽３に設けられた注水口金３６へと連通するシャワー給水経路を備え、タンク５０は、第１のシャワー用ホース２７の断面積より大きな断面積を備え、タンク５０に保持された水は、第１のシャワー用ホース２７に流入して水封トラップを構成するようにしたことにより、シャワー給水終了時にタンク５０内の水が水封トラップを構成し、乾燥工程時の循環空気が注水蓋体３０に逆流するのを防いで、洗剤収容容器２１を結露させることを防止できる。【選択図】図７
2014004277.tif 000002
【特許請求の範囲】
【請求項１】
略水平方向または傾斜方向に回転中心軸を有する回転ドラムと、前記回転ドラムを内包する水槽と、洗剤を収容する洗剤収容容器と、前記洗剤収容容器に注水を行う注水蓋体と、前記注水蓋体から前記水槽に設けられた注水口金に配管されたシャワー用ホースと、前記シャワー用ホースの中間部にシャワー給水終了時に所定量の水を保持するタンクとを備え、前記タンクに保持された水は、前記シャワー用ホースに流入して水封トラップを構成するようにしたことを特徴とするドラム式洗濯乾燥機。
【請求項２】
シャワー用ホースの断面積より大きな断面積を有する拡大断面積部を備え、前記拡大断面積部は垂直方向に立ち上げられたことを特徴とする請求項１記載のドラム式洗濯乾燥機。
【請求項３】
タンクの注水蓋体側のシャワー用ホース接続部と水槽側のシャワー用ホース接続部との間に仕切り形状を設けたことを特徴とする請求項１又は２記載のドラム式洗濯乾燥機。
【発明の詳細な説明】
【技術分野】
【０００１】
本発明は、略水平方向または傾斜方向の回転軸を中心に回転自在に配設した回転ドラム内で洗濯物を洗濯、すすぎ、脱水するドラム式洗濯乾燥機に関するものである。
【背景技術】
【０００２】
従来、この種のドラム式洗濯乾燥機は図９、図１０に示すように構成していた。図９は、従来のドラム式洗濯乾燥機の給水部と洗剤投入部の構造を示す側面断面図であり、図１０は、その空気循環経路を示す側面断面図である。以下、その構成について説明する。
【０００３】
ドラム式洗濯乾燥機１０１は、洗濯乾燥機筐体１０２内に図示しないサスペンション構造によって水槽１０３が宙吊り状態に配設され、水槽１０３内に有底円筒形に形成されて洗濯槽兼脱水槽となる回転ドラム１０４がその軸心方向を正面側から背面側に向けて下向きに傾斜させて配設されている。図９において、この洗濯乾燥機筐体１０２の上部で図面上水槽１０３より奥に給水部と洗剤投入部とが構成され、洗剤を収容する洗剤収容容器１２１と、給水配管１０７に接続された複数の給水路１３１と、給水路１３１から続く複数の水路を形成して洗剤収容容器１２１に注水する注水蓋体１３０と、正面からの断面視が略コ字状の箱体に形成され、その上面に注水蓋体１３０を固定するとともに、この注水蓋体１３０との間に形成された空間に洗剤収容容器１２１を引き出し自在に収納する洗剤投入部枠体１４０とが設けられている。
【０００４】
洗剤収容容器１２１には、粉末合成洗剤、液体洗剤、液体仕上剤を収容する区画（図示せず）が形成されている。また、注水蓋体１３０に形成された複数の給水路１３１の入口にはそれぞれ開閉弁１０７ａが設けられている。これらの開閉弁１０７ａが操作されて、洗い行程においては粉末合成洗剤及び液体洗剤の区画を介して水道水が給水され、すすぎ工程においては液体仕上剤の区画を介して水道水が給水される。そして、給水経路１２６を介して、水槽１０３内に給水される。さらに、洗い行程とすすぎ工程の追加給水の一部として、シャワー給水が行われる。
【０００５】
注水蓋体１３０には、蓋体出口１３０ａから水槽１０３の開口部近傍に設けられた注水口金１３６に配管したシャワー用ホース１２７を備え、回転ドラム１０４内にシャワー給水する。シャワー給水終了後においては、シャワー用ホース内１２７に少量の残水が残る。
【０００６】
図１０において、このドラム式洗濯乾燥機１０１には、回転ドラム１０４内に収容した洗濯物を乾燥する機能が設けられ、水槽１０３内の空気を排気して除湿し、加熱して乾燥した空気を再び水槽１０３内に送風する循環送風経路１０９が形成されている。この循環送風経路１０９には、空気を循環させる送風ファン１１２、循環空気を除湿する蒸発器１１０、循環空気を加熱する凝縮器１１１が設けられる。この送風ファン１１２が回転駆動されることにより、循環送風経路１０９に空気の流れが発生する。洗濯物を収容した回転ドラム１０４内の空気は、水槽１０３から循環空気導入管路１１３に排気され、送風ファン１１２の上流に位置する蒸発器１１０で水分を結露させて除湿され、凝縮器１１１との熱交換により５０℃〜７０℃程度に加熱され、乾燥した高温の空気となる。
【０００７】
この乾燥した高温の空気は、送風ファン１１２から水槽１０３への送風管路１１４に送り出されて水槽１０３内に送風される。水槽１０３内に送風された高温の乾燥空気は、回転ドラム１０４内に入って衣類などの洗濯物の水分を蒸発させながら水槽１０３へと抜け、再度、循環空気導入管路１１３へと導入される。以上の循環送風経路１１０での空気の
循環の繰り返しにより、ドラム式洗濯乾燥機の乾燥工程が実施される。
【０００８】
上記、乾燥工程においては、シャワー用ホース１２７内にも循環空気の一部が流入するが、その空気はシャワー給水終了後にシャワー用ホース１２７内に残る少量の残水によって水封され、注水蓋体１３０内への循環空気の逆流を防いでいる。また、給水経路１２６においても、逆止弁１２６ａを設けたり、Ｕ字トラップを設けたりして、洗剤収容容器１２１内への循環空気の逆流を防いでいる。
【先行技術文献】
【特許文献】
【０００９】
【特許文献１】特開２００８−０９９９２０号公報
【発明の概要】
【発明が解決しようとする課題】
【００１０】
しかしながら、このような従来の構成では、シャワー給水終了後にシャワー用ホースに残る残水量が不確定量である。このために乾燥空気の圧力、シャワー用ホース内の残水量によっては、乾燥工程時にシャワー用ホース内の残水が吹き飛ばされ、注水蓋体に湿気を含んだ循環空気が逆流することがあり、注水蓋体を介して洗剤収容容器まで逆流した循環空気が洗剤収容容器の内部に結露を発生させてしまうという課題を有していた。
【００１１】
本発明は、以上のような課題に鑑みてなされたものであり、乾燥工程時に循環空気が注水蓋体に逆流することを防いで、循環空気が洗剤収容容器の内部に結露を発生させてしまうことがないドラム式洗濯乾燥機を提供することを目的としている。
【課題を解決するための手段】
【００１２】
本発明の請求項１にかかるドラム式洗濯乾燥機は、略水平方向または傾斜方向に回転中心軸を有する回転ドラムと、前記回転ドラムを内包する水槽と、洗剤を収容する洗剤収容容器と、前記洗剤収容容器に注水を行う注水蓋体と、前記注水蓋体から前記水槽に設けられた注水口金に配管されたシャワー用ホースと、前記シャワー用ホースの中間部にシャワー給水終了時に所定量の水を保持するタンクとを備え、前記タンクに保持された水は、前記シャワー用ホースに流入して水封トラップを構成するようにしたことを特徴とするものである。
【００１３】
これにより、シャワー給水終了時にタンク内に保持された充分な量の水が、シャワー用ホースに流入して確実な水封トラップを構成することにより、乾燥工程時の循環空気が注水蓋体に逆流することを防止することが可能となり、洗剤収容容器の内部に結露を発生させることを防止することができる。
【発明の効果】
【００１４】
本発明のシャワー経路の構成によれば、乾燥工程時の循環空気が注水蓋体に逆流することを防いで、乾燥工程時の循環空気が洗剤収容容器の内部に結露を発生させることがないドラム式洗濯乾燥機を提供することができる。
【図面の簡単な説明】
【００１５】
【図１】本発明の実施の形態１におけるドラム式洗濯乾燥機の給水部と洗剤投入部の構造を示す側面断面図
【図２】同ドラム式洗濯乾燥機の給水部と洗剤投入部の側面断面図
【図３】同ドラム式洗濯乾燥機の給水部と洗剤投入部の分解斜視図
【図４】同ドラム式洗濯乾燥機の乾燥工程で空気が循環する経路を示す側面断面図
【図５】同ドラム式洗濯乾燥機のヒートポンプ装置の構造を示す断面斜視図
【図６】同ドラム式洗濯乾燥機のシャワー給水経路を示す要部斜視図
【図７】（ａ）〜（ｆ）同ドラム式洗濯乾燥機のシャワー給水経路内の水の動きを示す模式図
【図８】（ａ）〜（ｇ）本発明の実施の形態２におけるドラム式洗濯乾燥機のシャワー給水経路内の水の動きを示す模式図
【図９】従来のドラム式洗濯乾燥機の給水部と洗剤投入部の構造を示す側面断面図
【図１０】同ドラム式洗濯乾燥機の空気循環経路を示す側面断面図
【発明を実施するための形態】
【００１６】
第１の発明のドラム式洗濯乾燥機は、略水平方向または傾斜方向に回転中心軸を有する回転ドラムと、前記回転ドラムを内包する水槽と、洗剤を収容する洗剤収容容器と、前記洗剤収容容器に注水を行う注水蓋体と、前記注水蓋体から前記水槽に設けられた注水口金に配管されたシャワー用ホースと、前記シャワー用ホースの中間部にシャワー給水終了時に所定量の水を保持するタンクとを備え、前記タンクに保持された水は、前記シャワー用ホースに流入して水封トラップを構成するようにしたことを特徴とするものである。
【００１７】
これにより、シャワー給水終了時にタンク内に保持された充分な量の水が、シャワー用ホースに流入して確実な水封トラップを構成することにより、乾燥工程時の循環空気が注水蓋体に逆流することを防止することが可能となり、洗剤収容容器の内部に結露を発生させることを防止することができる。
【００１８】
第２の発明のドラム式洗濯乾燥機は、上記請求項１に記載の発明において、前記タンクは、前記シャワー用ホースの断面積より大きな断面積を有する拡大断面積部を備え、前記拡大断面積部は垂直方向に立ち上げられたことを特徴とするもので、タンク内に水封トラップを構成するための充分な水を溜めることができる。
【００１９】
第３の発明のドラム式洗濯乾燥機は、上記請求項１又は２に記載の発明において、前記タンクの注水蓋体側のシャワー用ホース接続部と前記水槽側のシャワー用ホース接続部との間に仕切り部を設けたことを特徴とするものであり、タンク内に水封トラップを構成するための充分な水を溜めることができるとともに、タンクの入口と出口との高低差にかかわらず乾燥工程時の循環空気が注水蓋体に逆流することを防いで、洗剤収容容器の内部に結露を発生させることを防止することができる。
【００２０】
以下、発明の実施の形態について、図面を参照しながら説明する。また、この実施の形態によって本発明が限定されるものではない。
【００２１】
（実施の形態１）
図１は本発明の実施の形態１におけるドラム式洗濯乾燥機の側面断面図で給水部と洗剤投入部の構造を示す。図１において、ドラム式洗濯乾燥機１は、洗濯乾燥機筐体２内に図示しないサスペンション構造によって水槽３が宙吊り状態に配設され、水槽３内に有底円筒形に形成されて洗濯槽兼脱水槽となる回転ドラム４が配設されている。回転ドラム４は水槽３の背面側に取り付けられたモータ６によって前上がりに傾斜した回転軸を中心に正転及び逆転方向に回転駆動される。なお、回転ドラム４の回転軸は、本実施の形態では前上がりに傾斜しているが、略水平であってもよい。
【００２２】
この洗濯乾燥機筐体２の上部で図面上水槽３より奥に、給水部と洗剤投入部として、洗剤を収容する洗剤収容容器２１と、複数の給水弁７にそれぞれ接続された複数の給水路３１ａ，３１ｂ，３１ｃを形成して、洗剤収容容器２１の各洗剤収容区画に注水する注水蓋体３０とが構成される。さらに、注水蓋体３０の下方に、正面からの断面視が略コ字状に形成された上方に開口を有する有底の箱体の洗剤投入部枠体４０が固定され、注水蓋体３
０と洗剤投入部枠体４０との間に形成された空間部４０ｄに洗剤収容容器２１が引き出し自在に収容されている。また、洗剤投入部枠体４０の底部には洗剤液供給路４１が一体形成され、洗剤液供給路４１に給水経路２６の一端が接続され、他端が水槽３に接続される。
【００２３】
図２は同ドラム式洗濯乾燥機の給水部と洗剤投入部の側面断面図で、図３は同ドラム式洗濯乾燥機の給水部と洗剤投入部の分解斜視図である。図３の分解斜視図は、洗剤投入部枠体４０から、洗剤収容容器２１を所定位置以上に引き出し、かつ、注水蓋体３０を上方に取り外した分解状態を示している。
【００２４】
図２、３において、洗剤投入部枠体４０と注水蓋体３０とで囲まれた空間部４０ｄには引き出し自在に洗剤収容容器２１が収納される。注水蓋体３０には、その底面に多数の小孔により形成された注水口３３を有して洗剤収容容器２１に給水する複数の給水路３１ａ，３１ｂ，３１ｃが構成される。洗剤収容容器２１の各洗剤収容区画に収容された洗剤（粉末合成洗剤、液体洗剤、液体仕上剤など）に、洗濯の工程に応じた給水路の注水口３３を介して供給された水が滴下して、それぞれの洗剤が混合された洗剤混合液は、洗剤投入部枠体４０の底部の洗剤液供給路４１および給水経路２６を経由して水槽３内に供給される。
【００２５】
注水蓋体３０は、ポリプロピレン樹脂等で構成した平板３０ａと空間構成板３０ｂとの２枚の樹脂成形板が熱溶着されることにより、内部に通水空間部３７を構成する。この通水空間部３７に、洗剤収容容器２１の粉末洗剤収容部２２と液体洗剤収容部２３とに水を供給する第１の給水路３１ａと、液体仕上剤収容部２４に水を供給する第２の給水路３１ｂと、回転ドラム４内にシャワー給水する第３の給水路３１ｃとが形成される。さらに、第３の給水路３１ｃの出口３１ｄ（図６参照）には第１のシャワー用ホース２７が接続されている。なお、第３の給水路３１ｃにおいては、シャワー給水することから第３の給水路３１ｃ内の水圧が大きくなることから、給水の一部を洗剤収容容器２１に逃がす減圧孔３４を設けている。
【００２６】
また、洗剤収容容器２１は、洗剤投入部枠体４０に引き出し自在に収容され、洗剤収容区画として、粉末合成洗剤を収容する粉末洗剤収容部２２と、液体洗剤や液体漂白剤を収容する液体洗剤収容部２３と、液体仕上剤を収容する液体仕上剤収容部２４とが形成されている。粉末洗剤収容部２２の下流側には粉末洗剤投入路２２ａが形成され、液体洗剤収容部２３の下流側外底部には液体洗剤投入路２３ａが形成され、液体仕上剤収容部２４の外底部下流側には液体仕上剤投入路２４ａが形成されている。これらは、いずれも洗濯の各工程に応じた給水弁７と給水路３１から給水された水に各洗剤が希釈されて、洗剤液が空間部４０ｄより洗剤液供給路４１に流れる様に構成されている。具体的には、洗い行程時には注水蓋体３０の第１の給水路３１ａから粉末洗剤収容部２２および液体洗剤収容部２３に給水され、すすぎ工程時には、第２の給水路３１ｂから液体仕上剤収容部２４に給水される。
【００２７】
図４は本発明の実施の形態１におけるドラム式洗濯乾燥機の側面断面図で、乾燥工程で空気が循環する経路を示す。図５は同ドラム式洗濯乾燥機のヒートポンプ装置の構造を示す断面斜視図である。ドラム式洗濯乾燥機１は、回転ドラム４内に収容した洗濯物を乾燥する機能を有する。図４、５において、水槽３内の空気を排気して除湿したのち加熱した、高温の乾燥した空気を再び水槽３内に送風する循環送風経路９（図４の破線参照）が形成されている。この循環送風経路９には、空気を循環させる送風ファン１２が洗濯乾燥機筐体２の背面近くに設けられ、送風ファン１２の上流側に、循環空気を除湿する蒸発器１０、循環空気を加熱する凝縮器１１を有するヒートポンプ装置１５が設けられている。
【００２８】
送風ファン１２を回転駆動することにより、循環送風経路９に空気の流れが発生する。洗濯物を収容した回転ドラム４内の空気は、水槽３から循環空気導入管路１３に排気され、送風ファン１２の上流に位置する蒸発器１０で水分を結露させて除湿され、凝縮器１１との熱交換により５０℃〜７０℃程度に加熱され、乾燥した高温の空気となる。この乾燥した高温の空気は、送風ファン１２から水槽３への送風管路１４に送り出されて水槽３内に送風される。水槽３内に送風された高温の乾燥空気は、回転ドラム４内に入って衣類などの洗濯物の水分を蒸発させながら水槽３へと抜け、再度、循環空気導入管路１３へと導入さる。以上の循環送風経路９での空気の循環の繰り返しにより乾燥工程が実施される。
【００２９】
以下に、本願発明のシャワー給水経路における、乾燥工程時の循環空気の逆流防止について説明する。図６は本発明の実施の形態１におけるドラム式洗濯乾燥機のシャワー給水経路を示す要部斜視図で、図７（ａ）〜（ｆ）は同ドラム式洗濯乾燥機のシャワー給水経路内の水の動きを示す模式図である。
【００３０】
図６において、ヒートポンプ装置１５の近傍にタンク５０が取りつけられており、タンク５０の入口５０ａに第３の給水路３１ｃの出口３１ｄに接続された第１のシャワー用ホース２７の他端が接続されて、シャワー給水経路が構成される。タンク５０は、第１のシャワー用ホース２７の断面積より大きな断面積を有する拡大断面積部５０ｃを備え、拡大断面積部５０ｃは垂直方向に立ち上げられて、所定量の水を保持できるように構成されている。
【００３１】
第１のシャワー用ホース２７は、注水蓋体３０からタンク５０までの経路において高低差を設けて引き回されている。一方、タンク５０の注水蓋体３０と反対側の出口５０ｂには第２のシャワー用ホース２８の一端が接続され、他端は水槽３の開口部近傍に取付けられた注水口金３６に接続されている。タンク５０の入口５０ａは、出口５０ｂより低い位置にあり、シャワー経路においては注水口金３６部が最も低い位置となっている。
【００３２】
このように構成されたシャワー給水経路においては、第３の給水路３１ｃ、第１のシャワー用ホース２７、タンク５０、第２のシャワー用ホース２８、注水口金３６とつながり、洗い工程及びすすぎ工程において、シャワー給水経路を通じて注水口金３６から回転ドラム４内へシャワー状に給水される。そして、シャワー給水時にタンク５０の拡大断面積部５０ｃに充満した水は、給水終了時には、タンク５０内に乾燥工程時の循環空気の逆流を防止する水封トラップを第１のシャワー用ホース２７で形成するに足る量の水として保持される。
【００３３】
次に、図７（ａ）〜（ｆ）を用いて、タンク５０に水を保持するメカニズム、およびタンク５０に保持された水の乾燥工程時の動きを説明する。シャワー給水時には、シャワー給水経路へ給水されてタンク５０内も水がほぼ満水状態となる。シャワー給水経路への給水が終了すると、タンク５０を含めてシャワー給水経路内に残った水は、サイフォン現象によって、シャワー給水経路において最も低い位置にある注水口金３６側の水に引っ張られ全て流出しようとする（図７（ａ））。シャワー給水経路に残った水が流出する過程において、流出する水の後端がタンク５０に差し掛かると流出する水の後方にある空気層がタンク５０内の水を通過し（図７（ｂ））、タンク５０上方に空気層を作る（図７（ｃ））。この空気層により注水口金３６側にあるタンク５０の出口に流入する水との縁が切れタンク５０の拡大断面積部５０ｃに水が残る（図７（ｄ））。
【００３４】
この時、拡大断面積部５０ｃに残った水は、第１のシャワー用ホース２７へと重力により逆流するか、状況によっては、乾燥工程時に第２のシャワー用ホース２８を介してタンク５０に逆流してきた循環空気に押されて逆流して水封トラップを形成する（図７（ｅ））。このようにして形成された水封トラップの水は水量が充分にあるため、それ以上循環
空気に押されても第１のシャワー用ホース２７内に止まり、第１のシャワー用ホース２７内での水封トラップを維持することができる（図７（ｆ））。
【００３５】
以上のようなシャワー給水経路の構成により、乾燥工程時の循環空気が注水蓋体３０に完全に逆流してしまうことを防止し、洗剤収容容器２１の内部に結露させることを防止することができる。
【００３６】
（実施の形態２）
図８（ａ）〜（ｇ）は本発明の実施の形態２におけるドラム式洗濯乾燥機のシャワー給水経路内の水の動きを示す模式図である。本実施の形態２の特徴は、前記実施の形態１の構成において、タンク５０の入口５０ａと出口５０ｂとの間に入口５０ａの開口部より高い仕切り部５０ｄを設けるとともに、出口５０ｂを入口５０ａとほぼ同じ高さ位置に構成したことにある。
【００３７】
図８（ａ）〜（ｇ）を用いて、タンク５０に水が残るメカニズム、およびタンク５０に保持された水の乾燥工程時の動きを説明する。シャワー給水時には、シャワー給水経路へ給水されてタンク５０内も水がほぼ満水状態となる。シャワー給水経路への給水が終了すると、タンク５０を含めてシャワー給水経路内に残った水は、サイフォン現象によって、シャワー給水経路において最も低い位置にある注水口金３６側の水に引っ張られ全て流出しようとする（図８（ａ））。シャワー給水経路に残った水が流出する過程において、流出する水の後端がタンク５０に差し掛かると流出する水の後方にある空気層がタンク５０内の水を通過し（図８（ｂ））、タンク５０上方に空気層を作る（図８（ｃ））。この空気層が仕切り形状５０ａの高さまで達すると、注水口金３６側にあるタンク５０の出口に流入する水との縁が切れ（図８（ｄ））、タンク５０の拡大断面積部５０ｃに水が残る（図８（ｅ））。
【００３８】
この時、拡大断面積部５０ｃに残った水は、第１のシャワー用ホース２７へと重力により逆流するか、状況によっては、乾燥工程時に第２のシャワー用ホース２８を介してタンク５０に逆流してきた循環空気に押されて逆流して水封トラップを形成する（図８（ｆ））。このようにして形成された水封トラップの水は水量が充分にあるため、それ以上循環空気に押されても第１のシャワー用ホース２７内に止まり、第１のシャワー用ホース内２７での水封トラップを維持することができる（図８（ｇ））。
【００３９】
以上のようなシャワー給水経路の構成により、タンク５０の入口５０ａと出口５０ｂとの高低差にかかわらず、乾燥工程時の循環空気が注水蓋体３０に逆流することを防止し、洗剤収容容器２１の内部に結露を発生させることを防止することができる。
【産業上の利用可能性】
【００４０】
以上のように、本発明にかかるドラム式洗濯乾燥機は、シャワー給水経路の構成により、乾燥工程時の循環空気が注水蓋体３０に逆流し、洗剤収容容器２１を結露させてしまうのを防止できるため、シャワー注水機能を備えたドラム式洗濯乾燥機等として有用である。
【符号の説明】
【００４１】
１  ドラム式洗濯乾燥機
２  洗濯乾燥機筐体
３  水槽
４  回転ドラム
９  循環送風経路
１２  送風ファン
１３  循環空気導入管路
１４  送風管路
１５  ヒートポンプ装置
２１  洗剤収容容器
２７  第１のシャワー用ホース
２８  第２のシャワー用ホース
３０  注水蓋体
３１ａ  第１の給水路
３１ｂ  第２の給水路
３１ｃ  第３の給水路
３６  注水口金
４０  洗剤投入部枠体
５０  タンク
５０ｃ  拡大断面積部
５０ｄ  仕切り部
【図１】
2014004277.tif 000003
【図２】
2014004277.tif 000004
【図３】
2014004277.tif 000005
【図４】
2014004277.tif 000006
【図５】
2014004277.tif 000007
【図６】
2014004277.tif 000008
【図７】
2014004277.tif 000009
【図８】
2014004277.tif 000010
【図９】
2014004277.tif 000011
【図１０】
2014004277.tif 000012